(57)【要約】      （修正有）【課題】製造コストが低い光ディスクドライブ装置及びそのトラバースモジュールを提供する。【解決手段】光ディスクドライブ装置のトラバースモジュールは、ベースと、ベースを覆うカバー２０と、ベースに固定されるガイドバーと、ガイドバーにスライド可能に装着され且つカバーの外部に露出されるピックアップヘッドと、ベースに固定され且つカバーの外部に露出されるモーターと、調節装置と、を備え、カバーには弾性部材２５が一体成形され、ガイドバーは、調節装置と弾性部材との間に制限され、調節装置は、ガイドバーをベースに向かって移動させる又はベースから離間する方向に向かって移動させる。【選択図】図５
2012043524.tif 000002
【特許請求の範囲】
【請求項１】
ベースと、
前記ベースを覆うカバーと、
前記ベースに固定されるガイドバーと、
前記ガイドバーにスライド可能に装着され且つ前記カバーの外部に露出されるピックアップヘッドと、
前記ベースに固定され且つ前記カバーの外部に露出されるモーターと、
を備えてなる光ディスクドライブ装置のトラバースモジュールであって、
調節装置をさらに備え、前記カバーには弾性部材が一体成形され、前記ガイドバーは、前記調節装置と前記弾性部材との間に制限され、前記調節装置は、前記ガイドバーを前記ベースに向かって移動させる又は前記ベースから離間する方向に向かって移動させることを特徴とする光ディスクドライブ装置のトラバースモジュール。
【請求項２】
前記ベースに固定されるガイドバー固定装置をさらに備え、前記ガイドバーの一端は、前記ガイドバー固定装置内に収容され、前記調節装置は、前記ガイドバー固定装置を貫通して前記ガイドバーを支持するとともに、前記ガイドバーを前記ガイドバー固定装置内で移動させ、前記弾性部材は、前記ガイドバーに当接することを特徴とする請求項１に記載の光ディスクドライブ装置のトラバースモジュール。
【請求項３】
前記ガイドバー固定装置は、前記ベースに固定される支持ホルダー及び支持板を備え、前記支持ホルダーは、前記カバーと前記支持板との間に位置し、前記支持ホルダーには切欠口が設けられ、前記ガイドバーは、前記切欠口内に位置し且つ前記支持板及び前記カバーに対向し、前記弾性部材は、前記切欠口を介して前記ガイドバーに当接し、前記調節装置は、前記支持板を貫通して前記ガイドバーを支持することを特徴とする請求項２に記載の光ディスクドライブ装置のトラバースモジュール。
【請求項４】
前記調節装置は、ねじであり、前記調節装置の横断面の面積は、前記ガイドバーと前記調節装置との接触面積より大きいことを特徴とする請求項１から３のいずれか一項に記載の光ディスクドライブ装置のトラバースモジュール。
【請求項５】
ベースと、前記ベースを覆うカバーと、前記ベースに固定されるガイドバーと、前記ガイドバーにスライド可能に装着され且つ前記カバーの外部に露出されるピックアップヘッドと、前記ベースに固定され且つ前記カバーの外部に露出されるモーターと、を備えてなるトラバースモジュールを有する光ディスクドライブ装置であって、
前記トラバースモジュールは、調節装置をさらに備え、前記カバーには弾性部材が一体成形され、前記ガイドバーは、前記調節装置と前記弾性部材との間に制限され、前記調節装置は、前記ガイドバーを前記ベースに向かって移動させる又は前記ベースから離間する方向に向かって移動させることを特徴とする光ディスクドライブ装置。
【発明の詳細な説明】
【技術分野】
【０００１】
本発明は、電子装置に関するものであり、特に光ディスクドライブ装置及びそのトラバースモジュールに関するものである。
【背景技術】
【０００２】
トラバースモジュールは、光ディスクドライブ装置の核心構造である。従来の光ディスクドライブ装置のトラバースモジュールは、ピックアップヘッドからの光線の光軸と光ディスクとの間の垂直度を調整するために用いられる傾斜角度調整構造を備える。
【発明の概要】
【発明が解決しようとする課題】
【０００３】
従来のピックアップヘッドの傾斜角度調整構造は、一般的にねじ及び弾性部材を組み合わせてなる。弾性部材は、スプリングであってもよく、ねじでスプリングを押圧することにより、ピックアップヘッドの傾斜角度を調整する。従って、光ディスクドライブ装置を製造する場合、１つ又は複数の弾性部材を追加することが必要であるので、部品数が増加し、組立時間も延長され、製造コストも増加する。
【０００４】
本発明の目的は、前記課題を解決し、製造コストが低い光ディスクドライブ装置及びそのトラバースモジュールを提供することである。
【課題を解決するための手段】
【０００５】
本発明に係る光ディスクドライブ装置のトラバースモジュールは、ベースと、前記ベースを覆うカバーと、前記ベースに固定されるガイドバーと、前記ガイドバーにスライド可能に装着され且つ前記カバーの外部に露出されるピックアップヘッドと、前記ベースに固定され且つ前記カバーの外部に露出されるモーターと、調節装置と、を備え、前記カバーには弾性部材が一体成形され、前記ガイドバーは、前記調節装置と前記弾性部材との間に制限され、前記調節装置は、前記ガイドバーを前記ベースに向かって移動させる又は前記ベースから離間する方向に向かって移動させる。
【０００６】
本発明に係る光ディスクドライブ装置は、ベースと、前記ベースを覆うカバーと、前記ベースに固定されるガイドバーと、前記ガイドバーにスライド可能に装着され且つ前記カバーの外部に露出されるピックアップヘッドと、前記ベースに固定され且つ前記カバーの外部に露出されるモーターと、調節装置と、を備えてなるトラバースモジュールを有し、前記カバーには弾性部材が一体成形され、前記ガイドバーは、前記調節装置と前記弾性部材との間に制限され、前記調節装置は、前記ガイドバーを前記ベースに向かって移動させる又は前記ベースから離間する方向に向かって移動させる。
【発明の効果】
【０００７】
従来の技術に比べて、本発明の光ディスクドライブ装置のトラバースモジュールは、調節装置及びカバーに一体成形された弾性部材によって、ピックアップヘッドの傾斜角度を調整することができ、且つ他の弾性部材を使用する必要がないので、部品数が減少するばかりでなく、組立時間も短縮し、製造コストを下げる。
【図面の簡単な説明】
【０００８】
【図１】本発明の実施形態に係る光ディスクドライブ装置のトラバースモジュールの立体図である。
【図２】図１に示すトラバースモジュールの第一分解図である。
【図３】図１に示すトラバースモジュールの第二分解図である。
【図４】図２に示すトラバースモジュールの別の角度から見た分解図である。
【図５】図１に示すトラバースモジュールのＶ−Ｖ線に沿う断面図である。
【発明を実施するための形態】
【０００９】
以下、図面を参照して、本発明の実施形態について説明する。
【００１０】
図１及び図２に示したように、光ディスクドライブ装置のトラバースモジュール１００は、ベース１０と、カバー２０と、２つのガイドバー３０ａ及び３０ｂと、モーター４０と、ピックアップヘッド５０と、を備える。２つの前記ガイドバー３０ａ、３０ｂ及び前記モーター４０は、前記ベース１０に固定されており、２つの前記ガイドバー３０ａ、３０ｂは、互いに平行であり、前記ピックアップヘッド５０は、２つの前記ガイドバー３０ａ、３０ｂにスライド可能に装着され、前記カバー２０は、前記ベース１０を覆う。
【００１１】
図３及び図４に示したように、前記ベース１０の第一側１２には、円形の第一貫通孔１１が設けられ、前記第一側１２に対向する前記ベース１０の第二側１４には、前記第一貫通孔１１に連通する第一開口１３が設けられる。前記モーター４０は、前記第一貫通孔１１を貫通し、且つ前記第一貫通孔１１内で回転することができる。
【００１２】
２つの前記ガイドバー３０ａ、３０ｂは、前記第一開口１３に設置されており、２つの前記ガイドバー３０ａ、３０ｂに装着された前記ピックアップヘッド５０は、前記第一開口１３によって外部に露出され、且つ前記第一開口１３内でスライドすることができる。前記ガイドバー３０ａは、第一端３１ａ及び第二端３３ａを備え、前記ガイドバー３０ｂは、第一端３１ｂ及び第二端３３ｂを備える。
【００１３】
前記トラバースモジュール１００は、ガイドバー固定装置３５ａ、３５ｂ、３７ａ、３７ｂ及び調節装置３９をさらに備える。２つの前記ガイドバー３０ａ及び３０ｂの第一端３１ａ及び３１ｂは、別々に前記ガイドバー固定装置３５ａ及び３５ｂによって、前記ベース１０の第二側１４に固定される。２つの前記ガイドバー３０ａ及び３０ｂの第二端３３ａ及び３３ｂは、別々に前記ガイドバー固定装置３７ａ及び３７ｂによって、前記ベース１０の第一側１２に固定される。本実施形態において、前記ガイドバー固定装置３５ｂ、３７ａ、３７ｂは、全て前記ベース１０に固定されており、２つの前記ガイドバー３０ａ及び３０ｂの第一端３１ｂ、第二端３３ａ及び３３ｂは、それぞれ前記ガイドバー固定装置３５ｂ、３７ａ、３７ｂに収容される。
【００１４】
前記ガイドバー固定装置３５ａは、前記ベース１０に固定され且つ前記第一開口１３内に位置する。前記ガイドバー固定装置３５ａは、支持ホルダー３５１、支持板３５３及び固定ねじ３５５を備える。前記支持ホルダー３５１は、前記支持板３５３と前記ベース１０との間に位置する。前記固定ねじ３５５は、前記支持板３５３及び前記支持ホルダー３５１を貫通して前記ベース１０に螺合することにより、前記支持ホルダー３５１及び前記支持板３５３を前記ベース１０に固定する。前記支持ホルダー３５１には、前記ガイドバー３０ａの第一端３１ａを収容するための切欠口３５１０が設けられ、前記ガイドバー３０ａの第一端３１ａの対向する両側は、前記切欠口３５１０及び前記第一開口１３を介して前記支持板３５３及び前記カバー２０に対面する。前記支持板３５３の前記切欠口３５１０に対応する位置には、ねじ孔３５３１が設けられる。前記調節装置３９は、前記ねじ孔３５３１に螺合されて前記ガイドバー３０ａの第一端３１ａの片側に接触する。前記調節装置３９は、円柱形のねじであり、その横断面は、前記調節装置３９と前記ガイドバー３０ａの第一端３１ａとの接触面積より大きく、従って前記ガイドバー３０ａの第一端３１ａは、前記調節装置３９によって安定して支持される。
【００１５】
図５を合わせて参照すると、前記カバー２０は、前記ベース１０に固定されて前記ベース１０を覆う。本実施形態において、前記カバー２０は、ねじ６０によって前記ベース１０に固定される。他の実施形態において、係合又は接着によって、前記カバー２０を前記ベース１０に固定することができる。前記カバー２０の前記第一貫通孔１１に対応する位置には、円形の第二貫通孔２１が設けられる。前記カバー２０の前記第一開口１３に対応する位置には、略矩形の第二開口２３が設けられる。前記第一貫通孔１１から露出される前記モーター４０は、前記第二貫通孔２１を貫通し、且つ前記第二貫通孔２１内で回転することができる。前記第二開口２３の面積は、前記第一開口１３の面積より小さいので、前記ピックアップヘッド５０の局部は、前記第二開口２３によって外部に露出され、且つ前記ピックアップヘッド５０は、前記第二開口２３内でスライドすることができる。前記カバー２０における前記ガイドバー３０ａの第一端３１ａに対応する位置には、弾性部材２５及び開口２７が設けられる。前記弾性部材２５及び前記開口２７は、前記カバー２０に対してプレス加工して形成される。前記弾性部材２５は、弾性シートであり、前記カバー２０と一体成形される。前記弾性部材２５の一端は、前記開口２７の端壁に接続され、前記弾性部材２５の他端は、前記ガイドバー３０ａの第一端３１ａの前記調節装置３９から離れている片側に当接する。従って前記ガイドバー３０ａの第一端３１ａは、前記弾性部材２５と前記調節装置３９との間に安定して制限される。
【００１６】
前記モーター４０は、光ディスク（図示せず）を載置する載置面４１を有する。前記載置面４１は、前記ベース１０の第一貫通孔１１及び前記カバー２０の第二貫通孔２１を通って前記トラバースモジュール１００の外部に露出される。前記ピックアップヘッド５０は、上表面５１を有する。レンズ５３は、前記ピックアップヘッド５０の表面に位置し、且つ前記第一開口１３及び前記第二開口２３によって外部に露出される。前記載置面４１に光ディスクを載置すると、前記上表面５１は、前記光ディスクの読取面に対向する。前記レンズ５３は、前記ピックアップヘッド５０からの光線を前記光ディスクの読取面に集光する又は前記光ディスクの読取面から反射する光線を集光する。
【００１７】
まず、前記トラバースモジュール１００を組み立ててから、前記調節装置３９によって前記ガイドバー３０ａの高さを調整することにより、前記ガイドバー３０ａ、３０ｂに装着される前記ピックアップヘッド５０の上表面５１が前記モーター４０の載置面４１に平行となるようにして、前記ピックアップヘッド５０からの光線の光軸方向が前記光ディスクに垂直となるようにする。前記ガイドバー３０ａの第一端３１ａは、前記弾性部材２５と前記調節装置３９との間に制限されるので、前記調節装置３９を回転して、前記調節装置３９を前記ガイドバー３０ａに向かって移動させる又は前記ガイドバー３０ａから離間する方向に向かって移動させて、前記ガイドバー３０ａを前記カバー２０に向かって移動させる又は前記カバー２０から離間する方向に向かって移動させ、即ち前記ガイドバー３０ａは、前記ピックアップヘッド５０の光軸方向に沿って上下移動して、前記ガイドバー３０ａ、３０ｂに装着される前記ピックアップヘッド５０の傾斜角度を調整する。
【００１８】
本発明の実施形態において、前記トラバースモジュール１００における前記ガイドバー３０ａの第一端３１ａに対応する位置に前記弾性部材２５及び前記調節装置３９を設置して、前記ピックアップヘッド５０の傾斜角度を調整する調整構造とする。他の実施形態において、前記トラバースモジュール１００における前記ガイドバー３０ａ、３０ｂの第一端３１ａ、３１ｂ及び第二端３３ａ、３３ｂに対応する位置に前記弾性部材２５及び前記調節装置３９を設置して、前記ピックアップヘッド５０の傾斜角度を調整する調整構造とすることもできる。
【００１９】
前記トラバースモジュール１００は、前記調節装置３９及び前記ベース１０と一体成形された前記弾性部材２５によって、前記ピックアップヘッド５０の傾斜角度を調整することができ、且つ他の弾性部材を使用する必要がないので、部品数が減少するばかりでなく、組立時間も短縮し、製造コストを下げる。
【００２０】
以上、本発明を実施形態に基づいて具体的に説明したが、本発明は、上述の実施形態に限定されるものではなく、その要旨を逸脱しない範囲において、種々の変更が可能であることは勿論であって、本発明の技術的範囲は、以下の特許請求の範囲から決まる。
【符号の説明】
【００２１】
１０  ベース
１１  第一貫通孔
１２  第一側
１３  第一開口
１４  第二側
２０  カバー
２１  第二貫通孔
２３  第二開口
２７  開口
３０ａ、３０ｂ  ガイドバー
３１ａ、３１ｂ  第一端
３３ａ、３３ｂ  第二端
３５ａ、３５ｂ、３７ａ、３７ｂ  ガイドバー固定装置
３９  調節装置
４０  モーター
５０  ピックアップヘッド
６０  ねじ
１００  トラバースモジュール
３５１  支持ホルダー
３５３  支持板
３５５  固定ねじ
３５１０  切欠口
３５３１  ねじ孔
【図１】
2012043524.tif 000003
【図２】
2012043524.tif 000004
【図３】
2012043524.tif 000005
【図４】
2012043524.tif 000006
【図５】
2012043524.tif 000007